(57)【要約】  脱毛性配合物及び脱毛した毛１８を皮膚（２０）から除去する器具が提供される。この器具（２）は、皮膚（２０）上で矢印（２０）の方向に動かされ、この器具は、脱毛性配合物脱毛した毛を除去するフィン（１２）を有する。この動作中、非脱毛性配合物、例えば保湿剤及び（又は）フレグランスをフィンの前に位置する含浸スポンジ又はファブリック部分（２４）及びフィンの後に位置する含浸スポンジ又はファブリック部分（２６）から皮膚に塗布する。
2007532167.tif 000002
【特許請求の範囲】
【請求項１】
脱毛性配合物を皮膚から除去する非剃毛型器具であって、使用にあたり、前記脱毛性配合物及び脱毛した毛の除去を行うよう前記皮膚上で動かされるヘッドと、前記ヘッドの運動を行わせる取っ手とを有し、前記ヘッドは、使用にあたり、脱毛性配合物及び脱毛した毛の除去を行うよう前記皮膚上で動くように配置された少なくとも１つの除去エッジを有し、前記ヘッドは、前記ヘッドを前記皮膚上で動かしたときに前記皮膚に塗布されるよう配置された非脱毛性配合物の源を更に有する、器具。
【請求項２】
前記非脱毛性配合物は、固体である、請求項１記載の器具。
【請求項３】
前記非脱毛性配合物は、次のもの、即ち、保湿剤、フレグランス、石鹸、着色剤、昆虫忌避剤、剥離剤、潤滑剤、抗炎症剤、毛再成長阻害剤及び脱臭剤のうち少なくとも１つから選択される、請求項１又は２記載の器具。
【請求項４】
前記源は、前記除去ヘッドの上流側に設けられる、請求項１〜３のうちいずれか一に記載の器具。
【請求項５】
前記源は、前記除去エッジの下流側に設けられる、請求項１〜４のうちいずれか一に記載の器具。
【請求項６】
前記除去エッジは、可撓性フィンであり、前記可撓性フィンは、その弛緩状態では、前記ヘッドから前記非脱毛性配合物の前記源を越えた程度まで突き出ているが、使用にあたり撓んで前記源を前記皮膚に接触させることができる、請求項１〜５のうちいずれか一に記載の器具。
【請求項７】
前記ヘッドは、全体として平らな下面（使用の際、前記皮膚に向く）を有し、前記除去エッジは、前記下面から横方向に突き出ており、前記非脱毛性配合物の前記源が、前記下面上に支持されている、請求項１〜６のうちいずれか一に記載の器具。
【請求項８】
複数の除去エッジを有する、請求項１〜７のうちいずれか一に記載の器具。
【請求項９】
脱毛を行う方法であって、
脱毛性配合物を皮膚に塗布するステップと、
前記脱毛性配合物が所定の期間にわたり前記皮膚上にとどまることができるようにするステップと、
器具を前記皮膚上で動かして前記脱毛性配合物及び脱毛した毛を前記皮膚から除去すると共に非脱毛性配合物を前記皮膚に塗布するステップとを有する、方法。
【発明の詳細な説明】
【技術分野】
【０００１】
本発明は、配合物を皮膚から除去する装置及びかかる除去のための方法に関する。本発明は特に、脱毛法に用いられる器具に関するが、これには限定されない。
【背景技術】
【０００２】
毛を除去する配合物が、広く利用されている。かかる配合物は、抜毛性であり、機械的作用により毛の除去を行うことができる。かかる配合物は、脱毛性であり、毛を分解させ又は溶解させることにより毛の除去を行うことができる。
【０００３】
脱毛性配合物の場合、ユーザは、これらを自分の皮膚に塗布し、これらを所定期間にわたってそのままにしてかかる脱毛性配合物が効くことができるようにし、次に通常、脱毛性配合物を備えた物品、例えばスクレーパを用いてかかる脱毛性配合物を分解又は溶解した毛と共に皮膚から除去する。
【発明の開示】
【発明が解決しようとする課題】
【０００４】
脱毛性配合物は効果があるが、これらは、皮膚に対して幾分望ましくない効果、例えば乾燥や残臭を有することが感じられる場合がある。また、毛が再び成長すると、これにより、捕捉した濾胞により斑点が生じる場合がある。
【０００５】
それ故に、皮膚に対する脱毛性配合物の使用に続く問題のうちの幾つかを解決する脱毛法が要望されている。
【課題を解決するための手段】
【０００６】
本発明の第１の特徴によれば、脱毛性配合物を皮膚から除去する器具であって、使用にあたり、脱毛性配合物及び脱毛した毛の除去を行うよう皮膚上で動かされるヘッドと、ヘッドの運動を行わせる取っ手とを有し、ヘッドは、使用にあたり、脱毛性配合物及び脱毛した毛の除去を行うよう皮膚上で動くように配置された少なくとも１つの除去エッジを有し、ヘッドは、ヘッドを皮膚上で動かしたときに、皮膚に塗布されるよう配置された非脱毛性配合物の源を更に有する器具が提供される。
【０００７】
使用にあたり、器具を用いて除去エッジが皮膚上を横切って脱毛性配合物及び脱毛した毛を除去するようにする。このようにする際、除去エッジは、脱毛性配合物にさらされることにより弱くなった毛を切ることができる。しかしながら、これは通常、脱毛性配合物により処理されなかった無傷の毛を切ることはない。好ましくは、この除去エッジは、ストリジル（strigil：あかすり具）のように作用するかき取り作用を有する。この器具は、脱毛性配合物により弱められた何本かの毛の切断を行うことができるが、これは、剃毛器具として用いることはできない。したがって、この器具は、切れ刃を備えておらず、したがって、非剃毛型器具である。
【０００８】
好ましくは、この器具のヘッドは、取っ手よりも幅が広い。好ましくは、ヘッドの平均幅は、取っ手の平均幅の少なくとも５０％以上、好ましくは少なくとも８０％以上である。この定義の目的上、取っ手の平均幅は、幅の測定を取っ手の遠位（自由）端から１ｃｍのところで始めて取っ手に沿って１ｃｍ間隔で行い、測定値を合計し、そして測定回数で除算することにより求められ、ヘッドの平均幅は、幅の測定をヘッドの遠位（自由）端から０．５ｃｍのところで始めて取っ手に沿って０．５ｃｍ間隔で行い、測定値を合計し、そして測定回数で除算することにより求められる。
【０００９】
好ましくは、ヘッドの最大幅は、取っ手の最大幅を超える。好ましくは、ヘッドの最大幅は、取っ手の最大幅の少なくとも５０％以上であり、好ましくは少なくとも８０％以上である。
【００１０】
好ましくは、取っ手の最大長さは、ヘッドの最大長さを超え、好ましくは、少なくとも３倍、より好ましくは少なくとも５倍である。ヘッドは、非常にずんぐりしている場合が多い。それにもかかわらず、「ヘッドの長さ」は、取っ手の長さと同一方向におけるその寸法を意味していることは理解されよう。
【００１１】
この場合、好ましくは、取っ手は、ほっそりしている。好ましくは、ヘッドは、ほっそりしていない。好ましくは、ヘッドは、幅が広い。
【００１２】
好ましくは、器具は、スティック状又はワンド状、或いはロッド状の取っ手及び幅の広いヘッド又はヘッド部分を有する。
【００１３】
好ましくは、ヘッドは、使用の際に取っ手によりしっかりと支持され、重力以外の外力が加わっていない場合又は単に触れられている場合、好ましくは、ヘッドを撓ませる傾向は生じない。使用にあたり、皮膚に当たると、ヘッドは、抗力に対して関節運動をすることができる。
【００１４】
非脱毛性配合物は、保湿剤であるのがよい。
【００１５】
非脱毛性配合物は、フレグランスであるのがよい。
【００１６】
非脱毛性配合物は、擦りむけを防止する水溶性潤滑剤、例えば酸化ポリエチレンを含むのがよい。
【００１７】
非脱毛性配合物は、毛の再成長を阻害し又は遅らせる配合物であるのがよい。
【００１８】
非脱毛性配合物は、脱毛性配合物のアルカリ性ｐＨを中和する緩衝液又は酸であるのがよい。
【００１９】
非脱毛性配合物は、油であるのがよい。油は、保湿剤とフレグランスの両方であるのがよい。油は、アロマセラピー用の油であるのがよい。
【００２０】
非脱毛性配合物は、皮膚に塗布するのが都合のよい任意他の物質、例えば、着色剤（例えば、化学的「色素沈着」製品）、石鹸、剥離剤、昆虫忌避剤、抗炎症剤、皮膚軟化剤、冷却剤、緩衝液又は脱臭剤であってよい。
【００２１】
非脱毛性配合物は、ゲルを含む固体であるのがよい。固体は、これが皮膚に付着すると、消え、溶解し又は融解する場合がある。非脱毛性配合物は、水不溶性スケルトン又は使用中、水不溶性マトリクスから溶け出る水溶性又は分散性成分を含むマトリクスから作られたものであってもよい。水不溶性という用語は、２５℃の水における溶解度が、水の重量を基準として０．０１％以下であることを意味する。水溶性という用語は、２０℃の水における溶解度が水の重量で０．１％以上であることを意味する。
【００２２】
非脱毛性配合物を除去エッジの上流側又は除去エッジの下流側に塗布するのがよく、或いは、２つ以上の除去エッジが設けられている場合、これらエッジ相互間から塗布するのがよい。好ましくは、非脱毛性配合物は、除去エッジの下流側で塗布される。
【００２３】
非脱毛性配合物の源は、例えば、圧縮性又は弾性部品、例えばファブリックプライ、フェルトパッド又はスポンジから成るのがよく、膜形成機械的器具、例えばローラ或いは例えばウェルの形態をした１つ又は２つ以上の小さな凹部であるのがよく、かかる凹部内に、非脱毛性配合物を製造の際に入れ、そして皮膚上を動かしたときにかかる非脱毛性配合物を凹部から引き出す。
【００２４】
本発明の好ましい形態では、非脱毛性配合物は、固形ブロック又はストリップの形態で供給される。適当なストリップは、髭剃り用かみそりに用いることができるものとして米国特許第４，１７０，８２１号明細書に開示されている。例えば、水溶性潤滑剤、例えば酸化ポリエチレンを水不溶性ポリマー、例えばポリスチレンと混ぜ合わせた状態で用いて非脱毛性配合物の固形ストリップを形成するのがよい。欧州特許第０７７２５１１号明細書は、本発明の非脱毛性配合物として用いるのに適したポリマー材料の別の同時押し出しストリップを開示している。
【００２５】
擦りむけを防止するのに適当な潤滑性ストリップは、分子量が約５００万の酸化ポリエチレン（ＰＥＯ）を４０％、分子量が約２０，０００のＰＥＯを２０％、ポリスチレンを４０％含む。高分子量ポリエチレンの一部に代えて、他の成分、例えば植物抽出物、脱臭剤、フレグランス、保存剤及び着色剤を用いてもよい。
【００２６】
除去エッジは、好ましくはエラストマー材料のフィンにより提供できる。２つ以上のフィンを採用するのがよい。フィンは、可撓性であるのがよい。使用にあたり、フィンは、ヘッドを越えてフィンが皮膚にちょうど接触したときに皮膚に塗布されるべき物質の源よりも大きな程度まで突き出るのがよい。源は、フィンを撓ませると皮膚に接触するよう構成されている。
【００２７】
フィンは、皮膚に向いた表面を有するのがよく、この表面は、使用にあたり、器具の意図した運動方向に関し、皮膚に対して９０度以下の角度を有する。
【００２８】
好ましくは、ヘッドは、下面（使用の際、皮膚に向く）を有する。この下面は、全体として平らであり、好ましくは、除去エッジ、好ましくはフィン及び非脱毛性配合物の源を支持している。好ましくは、除去エッジは、ヘッドの下面から横方向に突き出る。好ましくは、ヘッドの前縁又は先導縁は、除去エッジとしての機能を果たさない。
【００２９】
本発明の第２の特徴によれば、脱毛を行う方法であって、
脱毛性配合物を皮膚に塗布するステップと、
脱毛性配合物が所定の期間にわたり皮膚上にとどまることができるようにするステップと、
器具を皮膚上で動かして脱毛性配合物及び脱毛した毛を皮膚から除去すると共に非脱毛性配合物を皮膚に塗布するステップとを有する方法が提供される。
【００３０】
器具及び（又は）非脱毛性配合物は、第１の特徴と関連して上述してある。次に、添付の図面を参照して本発明を例示的に説明する。
【発明を実施するための最良の形態】
【００３１】
図中、陰影を付けた領域は、触ると軟らかいエラストマー材料を示し、エラストマー材料よりも弾性率の高い図示の領域は、プラスチック材料を示している。器具２は、取っ手４を有し、この取っ手は、ユーザにより、取っ手の目立った隆起部又は段部８のすぐ隣りに位置する傾斜部分６に指又は親指を当てて快適に保持されるように設計されている。取っ手は、段部８付近で且つ更に段部８とヘッド８との間のエラストマー詰物９回りに僅かに撓むことができる。器具は、幾分弓形又はアーチ形になっている。使用にあたり、弓形の器具を皮膚に向け、ユーザが器具を押し下げると、器具は、僅かに撓むことができ、それにより操作感覚が向上する。
【００３２】
図３に示すように、ヘッド１０は、３つの互いに平行な密に間隔を置いたフィンを有する。各フィンは、真っ直ぐであり、ヘッドの実質的に幅全体にわたって延び、各フィンは、長さが約３５ｍｍである。フィン１２は、エラストマー材料で作られている。フィン１２は、取っ手に一体に成形されるのがよく、（取っ手は、プラスチック部分１４及びエラストマー部分１６を有し、或いは、取っ手を別々に追加してもよい）。プラスチック材料１４は、段部８を越えて下方に延び、ヘッド１０の頂部を形成している。エラストマー材料は、ヘッド１０に向かって段部８の下に下方に延びている。
【００３３】
図４で理解されるように、脱毛性配合物（代表的には、活性成分としてチオグリコール酸カリウムを含む）を皮膚に塗布し、所定の期間そのままにしておく。その後、ユーザは、取っ手４を持ってヘッドを矢印２２（図４）の方向に皮膚の表面を横切って引く。これにより、脱毛性配合物及び脱毛した毛が除去され、フィン１２も又、弱い程度から中程度のかき取り作用で弱くなった毛を皮膚から引き抜くよう働く。フィンがヘッドの全体として平らな下面から垂直に突き出るが、使用中にはこれらが撓んで皮膚２０に向いたこれらの表面が運動方向２２に対して９０°以下の角度をなすようになっていることが、図３及び図４から理解できる。
【００３４】
ヘッド１０の下面は、先導部分２４及び後続部分２６を更に備えている。「先導」（又は「前」）及び「後続」（又は「後」）という用語は、ヘッド矢印２２で示すように使用の際に動かしているときのフィンに対するこれらの部分の位置を示すために用いられている。これら部分は、ヘッドの下面から僅かに突き出るが、図３に示す弛緩位置にあるときにはフィンが突き出る程度までは突き出ない。しかしながら、図４から理解できるように、フィンが撓むと、これら部分２４，２６は、皮膚に接触することができる。
【００３５】
部分２４，２６のいずれか一方又はこれら両方は、僅かに圧縮性のある材料、例えばスポンジで構成され、非脱毛性配合物で含浸されており、或いは、これとは違ったやり方で、脱毛性配合物及び脱毛した毛を除去するのと同じ動作で非脱毛性配合物を皮膚に塗布することができる。
【００３６】
運動方向に関してフィンの前かブレードの後ろか或いはこれら両方かのいずれかに示されている数よりも多い数の部分を設けてもよい。代替的に又は追加的に、かかる部分は、フィンを備えるのがよい。
【００３７】
非脱毛性配合物は、例えば、次の物質、即ち、オイル、保湿剤、香水、着色剤、石鹸、剥離剤、潤滑剤、抗炎症剤、毛成長阻害剤及び昆虫忌避剤のうち任意の１つ又は２つ以上から選択されるのがよい。しかしながら、この実施形態では、先導部分２４は、フィンの運動に潤滑作用を与えるマイルドな液体石鹸を含浸させたスポンジのものであり、後続部分２６は、二重作用の保湿剤／フレグランスを含浸させた不織布のものである。
【００３８】
図５に示す器具は、同じ目的のものである。ヘッド１０２は、ほぼ同じであるが、幾つかの点において異なっている。これは、形状がスペード形ではなく長円形である。しかしながら、これは依然として全体として平らであり、その下面も又、３つのエラストマーフィン１１２、先導部分１２４及び後続部分１２６を支持している。この実施形態では、先導部分１２４は、皮膚潤滑／コンディショニングオイルを含ませたニードルコード織物材料のものであり、後続部分１２６は、マッサージ感覚をもたらすピンプル１４０を備えたゴムのものである。この実施形態では、後続部分は、配合物を皮膚上に放出することはない。
【図面の簡単な説明】
【００３９】
【図１】脱毛性配合物及び脱毛した毛をユーザの皮膚から除去する本発明の器具２の第１の実施形態の平面図である。
【図２】この器具の前から見た斜視図である。
【図３】この器具のヘッドの下から見た図である。
【図４】この器具を用いて脱毛性配合物及び脱毛した毛を除去する仕方を示す詳細図である。
【図５】本発明の器具の第２の実施形態のヘッドの斜視図である。
【図１】
2007532167.tif 000003
【図２】
2007532167.tif 000004
【図３】
2007532167.tif 000005
【図４】
2007532167.tif 000006
【図５】
2007532167.tif 000007
【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
皮膚から脱毛性配合物を除去する非剃毛型器具であって、
（使用の際、前記皮膚に向く）下面を備えたヘッドを有し、該ヘッドは、前記ヘッドの下面から横方向に突き出た少なくとも１つの除去エッジを有し、前記除去エッジは、前記除去エッジが使用にあたり前記脱毛性配合物及び脱毛した毛の除去を行うように前記皮膚上を移動されるように構成され、
前記ヘッドの運動を行わせる取っ手を有し、
前記下面で支持され、且つ、前記ヘッドを前記皮膚上を移動させたときに前記皮膚に塗布されるように配置された非脱毛性配合物の源を前記ヘッドが有する、
器具。
【請求項２】
前記非脱毛性配合物は、固体である、請求項１記載の器具。
【請求項３】
前記非脱毛性配合物は、次のもの、即ち、保湿剤、フレグランス、石鹸、着色剤、昆虫忌避剤、剥離剤、潤滑剤、抗炎症剤、毛再成長阻害剤及び脱臭剤のうち少なくとも１つから選択される、請求項１又は２記載の器具。
【請求項４】
前記源は、前記除去ヘッドの上流側に設けられる、請求項１〜３のうちいずれか一に記載の器具。
【請求項５】
前記源は、前記除去エッジの下流側に設けられる、請求項１〜４のうちいずれか一に記載の器具。
【請求項６】
前記除去エッジは、可撓性フィンであり、前記可撓性フィンは、その弛緩状態では、前記ヘッドから前記非脱毛性配合物の前記源を越えた程度まで突き出ているが、使用にあたり撓んで前記源を前記皮膚に接触させることができる、請求項１〜５のうちいずれか一に記載の器具。
【請求項７】
前記下面は、全体として平らである、請求項１〜６のうちいずれか一に記載の器具。
【請求項８】
複数の除去エッジを有する、請求項１〜７のうちいずれか一に記載の器具。
【請求項９】
脱毛を行う方法であって、
脱毛性配合物を皮膚に塗布し、
前記脱毛性配合物を所定の期間にわたって前記皮膚上にとどまらせ、
器具を前記皮膚上を移動させて前記脱毛性配合物及び脱毛した毛を前記皮膚から除去すると共に非脱毛性配合物を前記皮膚に塗布することを含む、
方法。
【国際調査報告】
2007532167.tif 000008
2007532167.tif 000009